(57)【要約】【課題】内ヒンジ機構１６が外部に露出せず、確実な防盗効果を得ることができる自動販売機を提供する。【解決手段】販売機本体１３の開口部１２を開閉する扉体１４を、閉鎖時において扉体１４が開口部１２の内側に進入可能とする外形状に形成する。販売機本体１３の開口部１２内の一側と扉体１４内の一側との間に、扉体１４を開閉可能に支持する内ヒンジ機構１６を取り付ける。内ヒンジ機構１６は、扉体１４の閉鎖時に、扉体１４を販売機本体１３の開口部１２の内側に進入させて収納する。扉体１４の閉鎖状態では、内ヒンジ機構１６が外部に露出せず、確実な防盗効果を得られる。【選択図】　　　　図１
2004046623.tif 000002
【特許請求の範囲】
【請求項１】
開口部を有する販売機本体と、
この販売機本体の開口部を開閉し、閉鎖時に開口部の内側に進入可能とする外形状に形成された扉体と、
前記販売機本体の開口部内の一側と扉体内の一側との間に取り付けられ、扉体を販売機本体に対して開閉可能に支持するとともに、扉体の閉鎖時には扉体の少なくとも一部を販売機本体の開口部の内側に進入させる内ヒンジ機構と
を具備していることを特徴とする自動販売機。
【請求項２】
扉体の少なくとも上側および両側の外形状は、販売機本体の開口部の内形状より小さく設けられている
ことを特徴とする請求項１記載の自動販売機。
【請求項３】
内ヒンジ機構は、販売機本体の開口部内の一側に取り付けられたヒンジ本体、扉体内の一側に取り付けられたヒンジ支え、およびこれらヒンジ本体とヒンジ支えとを回動可能に連結するヒンジピンを有し、ヒンジ本体には開閉する扉体の一側部との接触を回避する逃げ部が設けられている
ことを特徴とする請求項１または２記載の自動販売機。
【請求項４】
販売機本体の開口部内の一側に、複数の内ヒンジ機構のヒンジ本体が取り付けられる基準フレームが配設されている
ことを特徴とする請求項３記載の自動販売機。
【請求項５】
基準フレームは、ヒンジ本体が取り付けられる少なくとも２面のヒンジ取付基準面を有している
ことを特徴とする請求項４記載の自動販売機。
【請求項６】
上部側に配置されるヒンジ本体およびヒンジ支えにヒンジピンが下方から挿入され、
このヒンジピンを下方から支持するヒンジピンブラケットが扉体に着脱可能に取り付けられている
ことを特徴とする請求項３ないし５いずれか記載の自動販売機。
【請求項７】
販売機本体は、底板を有し、
下部側に配置されるヒンジ本体は、基準フレームと販売機本体の底板との両方に取り付けられている
ことを特徴とする請求項３ないし６いずれか記載の自動販売機。
【請求項８】
下部側に配置されるヒンジ本体およびヒンジ支えにヒンジピンが上方から挿入され、
このヒンジピンを上方から押えるヒンジピン押えが扉体に着脱可能に取り付けられている
ことを特徴とする請求項３ないし７いずれか記載の自動販売機。
【発明の詳細な説明】
【０００１】
【発明の属する技術分野】
本発明は、扉体を内ヒンジ機構によって開閉可能に支持した自動販売機に関する。
【０００２】
【従来の技術】
従来、自動販売機では、販売機本体の前面を覆う扉体を上部ヒンジおよび下部ヒンジで開閉可能に支持しているが、一般的に上部ヒンジおよび下部ヒンジとも外部に露出していて目視可能であるため、不正行為を誘発し、ヒンジ部分が破壊されて扉体が不正に開放されるおそれがある。
【０００３】
そこで、例えば、特開平８−１６１６１８号公報に記載されているように、本体の天板の下面側および底板の上面側に上部ヒンジおよび下部ヒンジをそれぞれ配置し、これら上部ヒンジと下部ヒンジとの間に扉体を支持し、扉体の上下面にこの扉体と本体の天板および底板との間の隙間、つまり上部ヒンジおよび下部ヒンジを覆う覆い板をそれぞれ取り付けることにより、上部ヒンジおよび下部ヒンジが前方から目視できないようして防盗効果を得ている。
【０００４】
また、特開２００２−１５０３８７号公報に記載されているように、販売機本体の内側と扉体の内側とを内ヒンジ機構を開閉可能に支持することにより、内ヒンジ機構が前方から目視できないようにして防盗効果を得ている。
【０００５】
【発明が解決しようとする課題】
しかしながら、特開平８−１６１６１８号公報に記載の自動販売機では、覆い板によって上部ヒンジおよび下部ヒンジを前方から目視できないが、扉体の側面側は扉体の開閉に伴って上部ヒンジおよび下部ヒンジとの干渉が生じることから覆い板を設けることができないため、側方からは上部ヒンジおよび下部ヒンジを目視可能で、防盗効果が十分でない問題がある。
【０００６】
また、特開２００２−１５０３８７号公報に記載の自動販売機では、内ヒンジ機構を用いることにより、内ヒンジ機構を前方から目視できないが、販売機本体と扉体との間には扉体の開閉移動を許容するための隙間があり、この側方の隙間を通じて内ヒンジ機構を目視可能で、防盗効果が十分でない問題がある。
【０００７】
本発明は、このような点に鑑みなされたもので、内ヒンジ機構が外部に露出せず、確実な防盗効果を得ることができる自動販売機を提供することを目的とする。
【０００８】
【課題を解決するための手段】
請求項１記載の自動販売機は、開口部を有する販売機本体と、この販売機本体の開口部を開閉し、閉鎖時に開口部の内側に進入可能とする外形状に形成された扉体と、前記販売機本体の開口部内の一側と扉体内の一側との間に取り付けられ、扉体を販売機本体に対して開閉可能に支持するとともに、扉体の閉鎖時には扉体の少なくとも一部を販売機本体の開口部の内側に進入させる内ヒンジ機構とを具備しているものである。
【０００９】
そして、この構成では、内ヒンジ機構により、扉体を販売機本体に対して開閉可能に支持するとともに、扉体の閉鎖時には扉体の少なくとも一部を販売機本体の開口部の内側に進入させるため、内ヒンジ機構が側方からも含めて外部に露出せず、確実な防盗効果が得られ、外観も向上する。
【００１０】
請求項２記載の自動販売機は、請求項１記載の自動販売機において、扉体の少なくとも上側および両側の外形状は、販売機本体の開口部の内形状より小さく設けられているものである。
【００１１】
そして、この構成では、扉体の少なくとも上側および両側の外形状を、販売機本体の開口部の内形状より小さく設けたため、扉体の閉鎖時に、扉体が販売機本体の開口部の内側に進入して収納可能となる。
【００１２】
請求項３記載の自動販売機は、請求項１または２記載の自動販売機において、内ヒンジ機構は、販売機本体の開口部内の一側に取り付けられたヒンジ本体、扉体内の一側に取り付けられたヒンジ支え、およびこれらヒンジ本体とヒンジ支えとを回動可能に連結するヒンジピンを有し、ヒンジ本体には開閉する扉体の一側部との接触を回避する逃げ部が設けられているものである。
【００１３】
そして、この構成では、内ヒンジ機構のヒンジ本体に、開閉する扉体の一側部との接触を回避する逃げ部を設けたため、ヒンジ本体と扉体とが干渉することなく、扉体が開閉可能に支持される。
【００１４】
請求項４記載の自動販売機は、請求項３記載の自動販売機において、販売機本体の開口部内の一側に、複数の内ヒンジ機構のヒンジ本体が取り付けられる基準フレームが配設されているものである。
【００１５】
そして、この構成では、複数の内ヒンジ機構のヒンジ本体を基準フレームに取り付けるため、取付基準が共通化され、扉体の傾きや扉下がりなどの扉体の不具合が解消される。
【００１６】
請求項５記載の自動販売機は、請求項４記載の自動販売機において、基準フレームは、ヒンジ本体が取り付けられる少なくとも２面のヒンジ取付基準面を有しているものである。
【００１７】
そして、この構成では、ヒンジ本体を基準フレームの２面のヒンジ取付基準面に取り付けるため、ヒンジ本体と基準フレームとが確実に位置決めされ、扉体の不具合がより確実に解消される。
【００１８】
請求項６記載の自動販売機は、請求項３ないし５いずれか記載の自動販売機において、上部側に配置されるヒンジ本体およびヒンジ支えにヒンジピンが下方から挿入され、このヒンジピンを下方から支持するヒンジピンブラケットが扉体に着脱可能に取り付けられているものである。
【００１９】
そして、この構成では、上部側のヒンジ本体およびヒンジ支えにヒンジピンを下方から挿入し、このヒンジピンを下方から支持するヒンジピンブラケットを扉体に着脱可能に取り付けたため、扉体の組み付け、取り外しが容易になる。
【００２０】
請求項７記載の自動販売機は、請求項３ないし６いずれか記載の自動販売機において、販売機本体は、底板を有し、下部側に配置されるヒンジ本体は、基準フレームと販売機本体の底板との両方に取り付けられているものである。
【００２１】
そして、この構成では、下部側に配置するヒンジ本体を基準フレームと販売機本体の底板との両方に取り付けたため、このヒンジ本体で扉体が確実に支持するとともに、販売機本体の強度が向上する。
【００２２】
請求項８記載の自動販売機は、請求項３ないし７いずれか記載の自動販売機において、下部側に配置されるヒンジ本体およびヒンジ支えにヒンジピンが上方から挿入され、このヒンジピンを上方から押えるヒンジピン押えが扉体に着脱可能に取り付けられているものである。
【００２３】
そして、この構成では、下部側に配置されるヒンジ本体およびヒンジ支えにヒンジピンを上方から挿入し、このヒンジピンを上方から押えるヒンジピン押えを扉体に着脱可能に取り付けたため、扉体の組み付け、取り外しが容易になる。
【００２４】
【発明の実施の形態】
以下、本発明の一実施の形態を図面を参照して説明する。
【００２５】
図２に自動販売機の筐体の斜視図、図３に自動販売機の筐体の一部を背面側から視た斜視図、および図８に自動販売機の正面図を示す。
【００２６】
自動販売機の筐体１１は、前面に開口部１２を有する箱形の販売機本体１３、およびこの販売機本体１３の開口部１２を開閉する扉体１４を有し、販売機本体１３の開口部１２内の一側に補強用の基準フレーム１５が配設され、この基準フレーム１５の上下部に扉体１４を開閉可能に支持する上部側の内ヒンジ機構１６および下部側の内ヒンジ機構１７が配設されている。そして、扉体１４の閉鎖時には、扉体１４の上側および両側の厚み方向の少なくとも一部が販売機本体１３の開口部１２の内側に入り込んで収納される。
【００２７】
販売機本体１３は、天板２０、底板２１、両側の側板２２，２３および背面板２４を有する箱形で、前面に開口部１２が開口形成されている。
【００２８】
扉体１４は、前面板２７、この前面板２７の上側の上面部２８および両側の側面部２９，３０を有し、この扉体１４の少なくとも上側および両側の外形状が販売機本体１３の開口部１２の内形状より小さく形成され、上面部２８および両側の側面部２９，３０が販売機本体１３の開口部１２内に入り込む扉体１４の外縁部として構成されている。前面板２７には、商品見本展示部３１が装着される開口３２、硬貨および紙幣の投入部などを含む操作部３３が装着される複数の開口３４、および商品が払い出される商品取出口３５などが形成されている。
【００２９】
次に、図１に自動販売機の上部側の内ヒンジ機構１６部分の平面図、図４に自動販売機の上部側の内ヒンジ機構１６部分の斜視図、および図５に自動販売機の上部側の内ヒンジ機構１６部分の分解状態の斜視図を示す。
【００３０】
扉体１４の一側の側面部２９には、その側面部２９の先端から前面板２７の内面に対向するように折曲片３７が折曲形成され、内ヒンジ機構１６，１７の部分に対応した上部側および下部側に切欠部３８がそれぞれ形成されている。これら切欠部３８の縁部３８ａは、扉体１４の閉鎖時に販売機本体１３の開口部１２内に配置される位置に形成されている。
【００３１】
基準フレーム１５は、上下方向に長尺で、販売機本体１３の一側の側板２２の内面に接合して固定される固定部４１、およびこの固定部４１から販売機本体１３内に突出する断面略コ字形に折曲された折曲部４２を有し、この折曲部４２の販売機本体１３内に臨む内面にヒンジ取付基準面４３が形成されているとともに、このヒンジ取付基準面４３と交差する折曲部４２の後面にヒンジ取付基準面４４が形成されている。
【００３２】
また、上部側の内ヒンジ機構１６は、販売機本体１３に取り付けられるヒンジ本体４７、扉体１４に取り付けられるヒンジ支え４８、これらヒンジ本体４７およびヒンジ支え４８に下方から挿入して回転可能に連結するヒンジピン４９、このヒンジピン４９を支持するヒンジピンブラケット５０を有している。
【００３３】
ヒンジ本体４７は、基準フレーム１５に取り付けられる取付部５１を有し、この取付部５１は、後端部が基準フレーム１５の方向へ向けて略直角に折曲された断面略Ｌ字形で、基準フレーム１５の２面のヒンジ取付基準面４３，４４に接合される取付面５２，５３が形成されている。取付部５１には複数の取付孔５４が形成され、これら複数の取付孔５４に複数本のボルト５５を挿通して基準フレーム１５に締結固定されている。
【００３４】
ヒンジ本体４７の取付部５１の前端上部側には、逃げ部５６を介して、ヒンジピン４９が回転自在に挿通嵌合される軸受部５７が円筒状に折曲形成されている。逃げ部５６は、扉体１４の側面部２９から離反する開口部１２の内方に突出した水平方向の断面略コ字形に形成されており、この逃げ部５６の側面部２９に臨む内側に開閉する扉体１４の一側の側面部２９が進退してその側面部２９との接触を回避する窪み部５８が形成されている。なお、ヒンジ本体４７の逃げ部５６および軸受部５７の部分に対応して扉体１４の側面部２９に切欠部３８が形成され、この切欠部３８の縁部３８ａが窪み部５８に進退される。
【００３５】
ヒンジ支え４８は、扉体１４の内側形状に対応して断面略コ字形に形成された固定部５９を有し、この固定部５９が扉体１４の前面板２７、側面部２９および折曲片３７の内側形状に溶接によって固定され、この固定部５９にヒンジピン４９が回転自在に挿通される円筒状の軸受筒６０が溶接によって固定されている。そして、軸受筒６０およびこの軸受筒６０に挿通されるヒンジピン４９は扉体１４の前面板２７と側面部２９とのなす角部に位置されている。
【００３６】
ヒンジピンブラケット５０は、扉体１４の内側形状に対応して断面略コ字形に形成されており、前部側にはヒンジピン４９の下端を嵌合して溶接によって固定される軸固定部６１が形成されている。ヒンジピンブラケット５０の後部側には複数の取付孔６２を有する取付部６３が形成され、この取付部６３の複数の取付孔６２に複数本のねじ６４を挿通して扉体１４側に着脱可能に締結固定されている。
【００３７】
次に、図６に自動販売機の下部側の内ヒンジ機構１７部分の斜視図、および図７に自動販売機の下部側の内ヒンジ機構１７部分の分解状態の斜視図を示す。
【００３８】
下部側の内ヒンジ機構１７は、販売機本体１３に取り付けられるヒンジ本体６７、扉体１４に取り付けられるヒンジ支え６８、これらヒンジ本体６７およびヒンジ支え６８に上方から挿入して回転可能に連結するヒンジピン６９、このヒンジピン６９を上方から押えるヒンジピン押え７０を有している。
【００３９】
ヒンジ本体６７は、基準フレーム１５および販売機本体１３の底板２１に取り付けられる取付部７１を有し、この取付部７１は、基準フレーム１５のヒンジ取付基準面４３に取り付ける基準フレーム側取付部７２および底板２１に取り付ける底板側取付部７３を設けた断面略Ｌ字形に形成されている。これら基準フレーム側取付部７２および底板側取付部７３には複数の取付孔７４，７５が形成され、これら複数の取付孔７４，７５に複数本のボルト７６を挿通して基準フレーム１５および底板２１に締結固定されている。
【００４０】
ヒンジ本体６７の基準フレーム側取付部７２の前端側には、逃げ部７７を介して、ヒンジピン６９が回転自在に挿通嵌合される軸受部７８が円筒状に折曲形成されている。逃げ部７７は、扉体１４の側面部２９から離反する開口部１２の内方に突出した水平方向の断面略コ字形に形成されており、この逃げ部７７の側面部２９に臨む内側に開閉する扉体１４の一側の側面部２９が進退してその側面部２９との接触を回避する窪み部７９が形成されている。なお、ヒンジ本体６７の逃げ部７７および軸受部７８の部分に対応して扉体１４の側面部２９に切欠部３８が形成され、この切欠部３８の縁部３８ａが窪み部７９に進退される。また、逃げ部７７の下部には底板２１に取り付けられる底板側取付部８０が折曲形成され、この底板側取付部８０に設けられた取付孔８１にボルト７６を挿通して底板２１に締結固定されている。
【００４１】
ヒンジ支え６８は、扉体１４の内側に嵌め込まれる嵌込部８２およびヒンジ本体６７の逃げ部７７および軸受部７８上に載置される載置部８３を有し、これら嵌込部８２および載置部８３が扉体１４の内側に溶接によって固定されている。載置部８３にはヒンジピン６９が回転自在に挿通される軸受孔８４が形成されている。そして、軸受孔８４およびこの軸受孔８４に挿通されるヒンジピン６９は扉体１４の前面板２７と側面部２９とのなす角部に位置されている。
【００４２】
ヒンジピン６９は、軸受孔８４および軸受部７８に上方から挿入される軸部８５、およびこの軸部８５の上端に設けられた軸受孔８４より径大な頭部８６を有している。
【００４３】
ヒンジピン押え７０は、ヒンジピン６９を上方から押える押え部８７を有するとともに、複数の取付孔８８が設けられた取付部８９を有し、この取付部８９の複数の取付孔８８に図示しない複数本のねじを挿通して扉体１４側に着脱可能に締結固定されている。
【００４４】
次に、本実施の形態の作用を説明する。
【００４５】
下部側の内ヒンジ機構１６においては、販売機本体１３のヒンジ本体６７上に扉体１４のヒンジ支え６８を載せ、軸受部７８に軸受孔８４を同軸上に位置決めし、ヒンジピン６９を軸受孔８４および軸受部７８に上方から挿入し、ヒンジピン６９を上方から押えるヒンジピン押え７０を扉体１４にねじ止めする。
【００４６】
上部側の内ヒンジ機構１７においては、販売機本体１３のヒンジ本体４７の軸受部５７に扉体１４のヒンジ支え４８の軸受筒６０を同軸上に位置決めし、ヒンジピンブラケット５０のヒンジピン４９を軸受筒６０および軸受部５７に下方から挿入し、ヒンジピンブラケット５０を扉体１４にねじ止めする。
【００４７】
そして、これら内ヒンジ機構１６，１７により、扉体１４を販売機本体１３に対して開閉可能に支持する。
【００４８】
また、扉体１４の閉鎖時には、扉体１４の外縁部つまり上面部２８および両側面部２９の厚み方向の少なくとも一部が販売機本体１３の開口部１２の内側に進入して収納される。そのため、内ヒンジ機構１６，１７が設けられた扉体１４の一側の側面部２９および切欠部３８は、販売機本体１３の一側の側板２２に対向し、販売機本体１３の開口部１２内に位置される。したがって、内ヒンジ機構１６，１７は、自動販売機の前方、側方および上下方向のいずれから見ても外部に露出せず、確実な防盗効果を得ることができる。さらに、扉体１４の外縁部が販売機本体１３の開口部１２の内側に進入して収納される構成は、従来ない構成であって、外観が向上し、販売促進効果が得られる。
【００４９】
また、扉体１４を開放する場合、扉体１４の側面部２９の切欠部３８の縁部３８ａが、内ヒンジ機構１６，１７のヒンジ本体４７，６７の逃げ部５６，７７によって形成された窪み部５８，７９に進入するため、扉体１４とヒンジ本体４７，６７とが干渉せず、扉体１４を大きく開放することができる。
【００５０】
このように、内ヒンジ機構１６，１７により、扉体１４を販売機本体１３に対して開閉可能に支持するとともに、扉体１４の閉鎖時には扉体１４の厚み方向の少なくとも一部を販売機本体１３の開口部１２の内側に進入させて収納するため、内ヒンジ機構１６，１７が外部に露出せず、確実な防盗効果を得ることができ、外観も向上できる。
【００５１】
特に、扉体１４の少なくとも上側および両側の外形状を、販売機本体１３の開口部１２の内形状より小さく設けたため、扉体１４の閉鎖時に扉体１４の外縁部を販売機本体１３の開口部１２の内側に進入させて収納できる。
【００５２】
また、内ヒンジ機構１６，１７のヒンジ本体４７，６７に、開閉する扉体１４の一側部との接触を回避する逃げ部５６，７７を設けたため、ヒンジ本体４７，６７と扉体１４とが干渉することなく、扉体１４を開閉可能に支持できる。
【００５３】
また、複数の内ヒンジ機構１６，１７のヒンジ本体４７，６７を基準フレーム１５に取り付けるため、取付基準を共通化でき、扉体１４の傾きや扉下がりなどの扉体１４の不具合を解消できる。しかも、ヒンジ本体４７は基準フレーム１５の２面のヒンジ取付基準面４３，４４に取り付けるため、ヒンジ本体４７を基準フレーム１５に対する前後左右の位置を確実に位置決めでき、扉体１４の不具合をより確実に解消できる。
【００５４】
また、上部側のヒンジ本体４７およびヒンジ支え４８にヒンジピン４９を下方から挿入し、このヒンジピン４９を下方から支持するヒンジピンブラケット５０を扉体１４に着脱可能に取り付けたため、扉体１４の組み付け、取り外しを容易にできる。同様に、下部側に配置されるヒンジ本体６７およびヒンジ支え６８にヒンジピン６９を上方から挿入し、このヒンジピン６９を上方から押えるヒンジピン押え７０を扉体１４に着脱可能に取り付けたため、扉体１４の組み付け、取り外しを容易にできる。
【００５５】
また、下部側に配置するヒンジ本体６７を基準フレーム１５と販売機本体１３の底板２１との両方に取り付けたため、このヒンジ本体６７で扉体１４を確実に支持できるとともに、販売機本体１３の強度を向上できる。しかも、ヒンジ本体６７の逃げ部７７も底板側取付部８０によって底板２１に固定するため、扉体１４の負荷に対するヒンジ本体６７の強度を向上できる。
【００５６】
なお、ヒンジ本体４７，６７の逃げ部５６，７７における窪み部５８，７９の深さを深くとることにより、扉体１４の開放角度を大きく設定することができる。また、ヒンジ本体４７，６７の軸受部５７，７８の軸受方向の長さを長く設定することにより、扉体１４の負荷に対する強度を向上でき、ヒンジ寿命を長くできる。
【００５７】
また、販売機本体１３、扉体１４および内ヒンジ機構１６，１７の位置関係の設定により、扉体１４全体を販売機本体１３の開口部１２の内側に収納することもできる。
【００５８】
【発明の効果】
請求項１記載の自動販売機によれば、内ヒンジ機構により、扉体を販売機本体に対して開閉可能に支持するとともに、扉体の閉鎖時には扉体の少なくとも一部を販売機本体の開口部の内側に進入させて収納するため、内ヒンジ機構が側方からも含めて外部に露出せず、確実な防盗効果を得ることができ、外観も向上できる。
【００５９】
請求項２記載の自動販売機によれば、請求項１記載の自動販売機の効果に加えて、扉体の少なくとも上側および両側の外形状を、販売機本体の開口部の内形状より小さく設けたため、扉体の閉鎖時に扉体を販売機本体の開口部の内側に進入させて収納できる。
【００６０】
請求項３記載の自動販売機によれば、請求項１または２記載の自動販売機の効果に加えて、内ヒンジ機構のヒンジ本体に、開閉する扉体の一側部との接触を回避する逃げ部を設けたため、ヒンジ本体と扉体とが干渉することなく、扉体を開閉可能に支持できる。
【００６１】
請求項４記載の自動販売機によれば、請求項３記載の自動販売機の効果に加えて、複数の内ヒンジ機構のヒンジ本体を基準フレームに取り付けるため、取付基準を共通化でき、扉体の傾きや扉下がりなどの扉体の不具合を解消できる。
【００６２】
請求項５記載の自動販売機によれば、請求項４記載の自動販売機の効果に加えて、ヒンジ本体を基準フレームの２面のヒンジ取付基準面に取り付けるため、ヒンジ本体と基準フレームとを確実に位置決めでき、扉体の不具合をより確実に解消できる。
【００６３】
請求項６記載の自動販売機によれば、請求項３ないし５いずれか記載の自動販売機の効果に加えて、上部側のヒンジ本体およびヒンジ支えにヒンジピンを下方から挿入し、このヒンジピンを下方から支持するヒンジピンブラケットを扉体に着脱可能に取り付けたため、扉体の組み付け、取り外しを容易にできる。
【００６４】
請求項７記載の自動販売機によれば、請求項３ないし６いずれか記載の自動販売機の効果に加えて、下部側に配置するヒンジ本体を基準フレームと販売機本体の底板との両方に取り付けたため、このヒンジ本体で扉体を確実に支持できるとともに、販売機本体の強度を向上できる。
【００６５】
請求項８記載の自動販売機によれば、請求項３ないし７いずれか記載の自動販売機の効果に加えて、下部側に配置されるヒンジ本体およびヒンジ支えにヒンジピンを上方から挿入し、このヒンジピンを上方から押えるヒンジピン押えを扉体に着脱可能に取り付けたため、扉体の組み付け、取り外しを容易にできる。
【図面の簡単な説明】
【図１】本発明の一実施の形態を示す自動販売機の上部側の内ヒンジ機構部分の平面図である。
【図２】同上自動販売機の筐体の斜視図である。
【図３】同上自動販売機の一部を背面側から視た斜視図である。
【図４】同上自動販売機の上部側の内ヒンジ機構部分の斜視図である。
【図５】同上自動販売機の上部側の内ヒンジ機構部分の分解状態の斜視図である。
【図６】同上自動販売機の下部側の内ヒンジ機構部分の斜視図である。
【図７】同上自動販売機の下部側の内ヒンジ機構部分の分解状態の斜視図である。
【図８】同上自動販売機の正面図である。
【符号の説明】
１２　　開口部
１３　　販売機本体
１４　　扉体
１５　　基準フレーム
１６，１７　　内ヒンジ機構
２１　　底板
４３，４４　　ヒンジ取付基準面
４７，６７　　ヒンジ本体
４８，６８　　ヒンジ支え
４９，６９　　ヒンジピン
５０　　ヒンジピンブラケット
５６，７７　　逃げ部
７０　　ヒンジピン押え
【図１】
2004046623.tif 000003
【図２】
2004046623.tif 000004
【図３】
2004046623.tif 000005
【図４】
2004046623.tif 000006
【図５】
2004046623.tif 000007
【図６】
2004046623.tif 000008
【図７】
2004046623.tif 000009
【図８】
2004046623.tif 000010